(57)【要約】【課題】天板の後方と後部側の上方を覆うパネルを別体とし、天板の後部側の上方を覆うパネルを、天板に何ら加工等を施したり、特別な取付部材を用いたりすることなく、容易にかつ体裁よく取り付けることができるようにする。【解決手段】机１に、その天板４の後方を覆う上下方向を向く硬質パネル１３を、その上部が天板４より上方に突出するように取付け、この硬質パネル１３の上端に、天板４の後部側の上方を覆うクロスパネル２６の下端を取付ける。【選択図】  図１
2008119079.tif 000002
【特許請求の範囲】
【請求項１】
机に、その天板の後方を覆う上下方向を向く硬質パネルを、その上部が天板より上方に突出するように取付け、この硬質パネルの上端部に、前記天板の後部側の上方を覆うクロスパネルの下端部を取付けたことを特徴とするパネル付き机。
【請求項２】
硬質パネルの上端部前面に、側面視前向コ字状断面をなすとともに、開口縁に、互いに対向する下向片と上向片を連設することにより、開口幅を奥部よりも狭幅とした係合溝を設け、この係合溝に、クロスパネルの下端部を、脱落及び締付手段により取付けてなる請求項１記載のパネル付き机。
【請求項３】
脱落及び締付手段が、前後方向を向くめねじ孔を有するとともに、係合溝内において、下向片と上向片の裏面に係合可能な板ナットと、硬質パネルの上端部前面に当接させたクロスパネルの下端部に挿通したボルトとを備え、このボルトを、前記係合溝に挿入した前記板ナットのめねじ孔に螺合することにより、硬質パネルの上端部にクロスパネルの下端部を取付けてなる請求項２記載のパネル付き机。
【請求項４】
係合溝を、左右方向に連続するように、硬質パネルの全長に設けてなる請求項２または３記載のパネル付き机。
【請求項５】
係合溝を、硬質パネルの上端部の前後両面に設けてなる請求項２〜４のいずれかに記載のパネル付き机。
【請求項６】
係合溝を、硬質パネルの上端に取付けうるように、押し出し成形により形成された横杆の前面または前後両面に設けてなる請求項２〜４のいずれかに記載のパネル付き机。
【請求項７】
クロスパネルの下端に、左右１対のブラケットを設け、両ブラケットの後面に、板ナットが、下向片と上向片との対向面間より挿脱しうる位置と、それらの裏面と係合する位置とに回動可能なストッパ片を設けてなる請求項３〜６のいずれかに記載のパネル付き机。
【請求項８】
両ブラケットに、上方に開口する有底孔を設け、この有底孔に、クロスパネルにおけるパイプ状フレームの左右の下端部を嵌合してなる請求項７記載のパネル付き机。
【請求項９】
クロスパネルを、透光性もしくは半透光性のクロスを張設してなるものとした請求項１〜８のいずれかに記載のパネル付き机。
【請求項１０】
クロスパネルを、天板の前部上方へ向かって円弧状に湾曲するものとした請求項１〜９のいずれかに記載のパネル付き机。
【請求項１１】
硬質パネルの上端とクロスパネルの下端との間に、隙間を設けてなる請求項１〜１０のいずれかに記載のパネル付き机。
【発明の詳細な説明】
【技術分野】
【０００１】
本発明は、机(テーブルも含む）の後側に、天板の後方と後部側の上方を覆うパネルを設けてなるパネル付き机に関する。
【背景技術】
【０００２】
机の後側に取り付けられるパネルの中には、上方から天板の後部上面に射す照明光を遮り、天板の後部上面に載置したＯＡ機器のディスプレイ等の画面を見易くするために、パネルの上部を前上方に傾斜させたものがある。
このような前上方に傾斜させたパネルを備えるパネル付き机としては、例えば特許文献１及び２に記載されているものがある。
【特許文献１】特開２００２−１６１６０１号公報(図４〜図６）
【特許文献２】特開２００６−１０９９５０号公報(図１〜図３）
【発明の開示】
【発明が解決しようとする課題】
【０００３】
上記特許文献１に記載されているパネル付き机においては、天板の後部側の上方を覆いうるように、上端部を前方に円弧状に湾曲させたパネルの下端を、天板の後端部上面に、取付手段を介して直接、又は天板に取付けた左右方向を向く取付部材(装着部材）に取り付けている。そのため、パネルが不要となって取り外したときに、天板の上面に設けた、取付手段取付用の加工孔等が露呈して見栄えを損ねたり、天板より取り外した取付部材の保管や処分に手間がかかったりする。
【０００４】
また、机に、天板の後方を覆う直立形のデスクトップパネルや後部パネルが取り付けられ、これら既存のパネルの上端に、上記前方に湾曲させたパネルを着脱可能に後付けしようとしたときに、既存のパネルに大きな加工を施したり、互いのパネル同士の取付手段の構造が複雑化したりして、コストが大となるため、それを簡単に行えないという問題もある。
【０００５】
特許文献２に記載のパネル付き机では、机の後方全体を覆う幅広のパネルの上端に、天板の後部側の上方を覆う、前上方に湾曲するパネルが一体的に連設されているので、パネルのフレームが大型となり、その製造コストが大となるとともに、フレームに、クロス等の張り材を張設する作業が面倒である。
また、パネル全体が大型となるので、机への取付けにも手間がかかる。
【０００６】
本発明は、上記問題点に鑑みてなされたもので、天板の後方と後部側の上方を覆うパネルを別体とし、天板の後部側の上方を覆うパネルを、天板に何ら加工等を施したり、特別な取付部材を用いたりすることなく、容易にかつ体裁よく取り付けることができ、かつ既存の直立形のパネルにも、天板の後部側の上方を覆うパネルを、着脱可能に簡単に後付けしうるようにしたパネル付き机を提供することを目的としている。
【課題を解決するための手段】
【０００７】
本発明によると、上記課題は、次のようにして解決される。
（１）机に、その天板の後方を覆う上下方向を向く硬質パネルを、その上部が天板より上方に突出するように取付け、この硬質パネルの上端部に、前記天板の後部側の上方を覆うクロスパネルの下端部を取付ける。
【０００８】
（２）上記(１)項において、硬質パネルの上端部前面に、側面視前向コ字状断面をなすとともに、開口縁に、互いに対向する下向片と上向片を連設することにより、開口幅を奥部よりも狭幅とした係合溝を設け、この係合溝に、クロスパネルの下端部を、脱落及び締付手段により取付ける。
【０００９】
（３）上記(２)項において、脱落及び締付手段が、前後方向を向くめねじ孔を有するとともに、係合溝内において、下向片と上向片の裏面に係合可能な板ナットと、硬質パネルの上端部前面に当接させたクロスパネルの下端部に挿通したボルトとを備え、このボルトを、前記係合溝に挿入した前記板ナットのめねじ孔に螺合することにより、硬質パネルの上端部にクロスパネルの下端部を取付ける。
【００１０】
（４）上記(２)または(３)項において、係合溝を、左右方向に連続するように、硬質パネルの全長に設ける。
【００１１】
（５）上記(２)〜(４)項のいずれかにおいて、係合溝を、硬質パネルの上端部の前後両面に設ける。
【００１２】
（６）上記(２)〜(４)項のいずれかにおいて、係合溝を、硬質パネルの上端に取付けうるように、押し出し成形により形成された横杆の前面または前後両面に設ける。
【００１３】
（７）上記(３)〜(６)項のいずれかにおいて、クロスパネルの下端部に左右１対のブラケットを設け、両ブラケットの後面に、板ナットが、下向片と上向片との対向面間より挿脱しうる位置と、それらの裏面と係合する位置とに回動可能なストッパ片を設ける。
【００１４】
（８）上記(７)項において、両ブラケットに、上方に開口する有底孔を設け、この有底孔に、クロスパネルにおけるパイプ状フレームの左右の下端部を嵌合する。
【００１５】
（９）上記(１)〜(８)項のいずれかにおいて、クロスパネルを、透光性もしくは半透光性のクロスを張設してなるものとする。
【００１６】
（１０）上記(１)〜(９)項のいずれかにおいて、クロスパネルを、天板の前部上方へ向かって円弧状に湾曲するものとする。
【００１７】
（１１）上記(１)〜(１０)項のいずれかにおいて、硬質パネルの上端とクロスパネルの下端との間に、隙間を設ける。
【発明の効果】
【００１８】
請求項１記載の発明によれば、天板の後方を覆う硬質パネルと、天板の後部側の上方を覆うクロスパネルとを別体として、このクロスパネルを、机に取付けた硬質パネルの上端部に取付けているので、パネル全体が大型化することはなく、製造コストが低減する。
また、天板に、クロスパネル取付用の加工を施したり、特別な部材を取付けたりする必要がないので、天板を、他の机の天板と共通化することもできるとともに、クロスパネルを取り外しても、体裁が損なわれることはない。
【００１９】
請求項２記載の発明によれば、硬質パネルの上端部前面に、クロスパネルの下端部を、硬質パネルに設けた係合溝を利用して、脱落及び締付手段により容易に取付けることができる。
【００２０】
請求項３記載の発明によれば、クロスパネル下端部を、板ナットとボルトとからなる脱落及び締付手段により、硬質パネルの上端部前面に、着脱可能に安定よく取付けることができる。
【００２１】
請求項４記載の発明によれば、係合溝は、左右方向に連続するように、硬質パネルの全長に設けられているので、クロスパネルの左右位置を容易に調節することができる。
【００２２】
請求項５記載の発明によれば、机を背中合わせに設置したりする際に、１枚の硬質パネルの前後両面の係合溝に、前後２枚のクロスパネルを容易に取り付けることができる。
【００２３】
請求項６記載の発明によれば、横杆を押し出し成形する際に、係合溝を簡単に形成しうるとともに、横杆は、硬質パネルと別体であるので、この横杆を、既存のパネルに取付けて、これに、クロスパネルを容易に後付けすることもできる。
【００２４】
請求項７記載の発明によれば、ブラケット及びクロスパネルの取付けを、机の前面側より行うことができるので、机が左右に隣接して設置されていても、クロスパネルを支障なく取り付けることができる。
また、板ナットは、係合溝内において、ストッパ片により、下向片と上向片との裏面に係合する位置に停止させられるので、ボルトによる締付け作業が容易となる。
【００２５】
請求項８記載の発明によれば、ブラケットへのクロスパネルの取付けを、上方より簡単に行うことができる。
【００２６】
請求項９記載の発明によれば、クロスパネルを光が透過するので、天板の上面が必要以上に暗くなることはない。
【００２７】
請求項１０記載の発明によれば、クロスパネルの見栄えが向上する。
【００２８】
請求項１１記載の発明によれば、上下のパネル間の隙間より前方が見通せるので、閉塞感が緩和される。
【発明を実施するための最良の形態】
【００２９】
以下、本発明の実施形態を、図面に基づいて説明する。
図１は、本発明のパネル付き机の第１の実施形態を示す前方斜視図、図２は、同じく側面図である。
【００３０】
机１は、左右１対の脚体２、２と、主天板３と、補助天板４とを備えている。
左右の脚体２は、前後方向（以下、図２の左方を前として説明する）を向くベース脚２aと、その中央よりもやや後方寄りの上面より起立する脚柱２bとからなり、左右の脚柱２bの上端には、前後方向を向く天板支持杆５、５の中央部下面が固着されている。
【００３１】
左右の脚体２同士は、左右の天板支持杆５における前端部と後端部の対向面に固着された前部連結杆６と後部連結杆７とにより、互いに連結されている。
【００３２】
左右の天板支持杆５の前端部には、例えば平行リンク機構（図示略）等よりなる左右１対の天板支持体８、８が、上下に回動可能に枢着され、この両天板支持体８に、主天板３が、脚体２の前方に大きく突出させた状態で、ガススプリング等の高さ調節手段（図示略）により高さ調節可能に取付けられている。
補助天板４は、左右の天板支持杆５の中央部に取付けられた左右１対の支持杆９の上端により固定支持されている。
【００３３】
後部連結杆７は、例えばアルミニウム合金等の押し出し成形品よりなり、その後面には、図３〜図６に示すように、左右方向を向く側面視後向コ字状断面の上下２条の係合溝１０、１０が、互いに平行をなして形成されている。両係合溝１０は、それぞれの開口縁に、下向きの係止片１１と上向きの係止片１２とを対向状に突設することにより、後端部の上下の開口幅を、奥部の上下寸法よりも狭幅としてある。
【００３４】
後部連結杆７の後面には、机１の後方を目隠しする、所要厚さのボード等よりなる硬質パネル１３が、左右１対のブラケット１４、１４を介して、次のように垂直に取付けられている。
左右のブラケット１４は、図３〜図６に示すように（左右対称につき、後面視において右方のもののみを図示する）、垂直平板状の鉄板を、平面視Ｌ字状に折り曲げることにより、後部連結杆７の後面と平行をなすとともに、その上下寸法とほぼ等しい上下寸法の方形をなす基片１４aと、この基片１４aの外側端より後方に向かって延びる支片１４bと、この支片１４bの後端に外向きに折曲形成されたパネル取付片１４cとを、一体的に形成したものである。
【００３５】
上記支片１４bの中央部には、長手方向を向く長孔１５が穿設され、ブラケット１４の軽量化が図られている。
パネル取付片１４cの上端部は、支片１４bの上縁よりも上方に突出しており、かつその上端部と下端部には、円形の取付孔１６、１６が穿設されている。
【００３６】
基片１４aにおける内側端寄りの上部と、外側端寄りの下部とには、基片１４aの上下両端部を前面側に切り起こすことにより、それぞれ上向係合片１７aを有する係合爪１７と、下向係合片１８aを有する係合爪１８とが、左右方向に離間させるとともに、上下に逆向きとして、一体的に形成されている。
【００３７】
両係合爪１７、１８の上下寸法と左右寸法は、図４に示すように、ブラケット１４を、前後方向を向く軸回りに、パネル取付片１４a側が上位となるように、水平状態から所要角度（例えば１５°前後）上向きに回動させたとき、非係合状態となって後部連結杆７における上下の係合溝１０、１０の後面開口部より、その奥部内に嵌合しうる寸法とされている。
【００３８】
また、上向係合片１７aと下向係合片１８aの上下寸法は、図５及び図６に示すように、ブラケット１４を、図４の非係合状態から、前後方向を向く軸回りに矢印方向（時計回り）に下向きに回動させて、図５の係合状態としたとき、上向係合片１７aの上端と下向係合片１８aの下端とが、それぞれ後部連結杆７における上下の係合溝１０、１０の奥部内において、それらの上面１０aと底面１０b とに同時に当接する寸法、すなわち、上下の係合溝１０の奥部の上下寸法と等しくしてあり、両係合片１７a、１８aの当接時に、ブラケット１４がほぼ水平状態に保持されるようになっている。
【００３９】
さらに、上向係合片１７aと下向係合片１８aの前方への突出寸法は、ブラケット１４の基片１４aの前面を後部連結杆７の後面に当接させた状態で、上記のようにブラケット１４を水平位置まで回動したとき、上向係合片１７aと下向係合片１８aとの後面が、それぞれ、後部連結杆７における上下の係合溝１０の開口縁に突設された下向きの係止片１１と上向きの係止片１２の裏面（前面）に当接するか、又は近接して係合する寸法とされている（図６参照）。
なお、上下の係合溝１０が、両側端が開口するものであれば、ブラケット１４の係合爪１７、１８を、後部連結杆７の側端から挿入して両係合溝１０に係合することもできる。
【００４０】
左右１対のブラケット１４を、上述した要領で後部連結杆７の両側部後面に取付けたのち、両ブラケット１４のパネル取付片１４cに、硬質パネル１３における左右両側部のやや下方よりの前面を、ねじ１９により固定することにより、硬質パネル１３は、机１の後端に、補助天板４の後端より若干離間するとともに、ほぼ上半部が補助天板４の上方に突出するようにして、垂直に取付られている。
【００４１】
図１０の拡大縦断面図に示すように、硬質パネル１３の上端には、後記するクロスパネル２６を取り付けるための横杆２０が取付けられている。
横杆２０は、例えばアルミニウム合金または硬質合成樹脂等の押し出し成形品であり、その左右寸法と前後幅は、硬質パネル１３のそれとほぼ等しくされている。
【００４２】
横杆２０の前後両面には、左右方向を向く側面視前向及び後向コ字状断面の係合溝２１、２１が、全長に亘って形成されている。両係合溝２１は、それぞれの開口縁に、下向片２２と上向片２３とを対向状に突設することにより、前端部と後端部の上下の開口幅を、奥部の上下寸法よりも狭幅としてある。
【００４３】
横杆２０は、その下端面の前後両端縁に下向き連設された嵌合片２４、２４を、硬質パネル１３の上端部に嵌合し、前後の係合溝２１内より硬質パネル１３の上部に螺合した左右複数のボルト２５をもって、硬質パネル１３の上部に固着されている。
【００４４】
横杆２０には、クロスパネル２６が、次のようにして取付けられている。
クロスパネル２６は、図１及び図２に示すように、机１の前方すなわち、補助天板４の上方に向かってなだらかな円弧状に湾曲する、正面形が下向きコ字状のパイプ製フレーム２７と、その下端部の対向面同士を連結しているパイプ製横フレーム２８とに、透光性もしくは半透光性のクロス２９を張設したものよりなり、左右幅は、硬質パネル１３の左右幅よりも若干小とされている。
【００４５】
図７〜図１０に示すように、クロスパネル２６のフレーム２７における横フレーム２８より下方に突出する左右の突出端部２７a、２７aは、左右１対のパネル支持ブラケット(以下、ブラケットと略称する）３０、３０における基部３０aの上端に立設された円筒部３０b内の、上方に開口する有底孔３１に、上方よりがたなく嵌合されている。
【００４６】
ブラケット３０の基部３０aの後面には、横杆２０の下向片２２と、上向片２３との対向面間に挟入可能な長方形の突部３２が突設され、この突部３２の後面における対角線上の隅部には、上部ストッパ片３３と、下部ストッパ片３４とが突設されている。基部３０aには、ボルト３５を前方より挿入するための前方に開口する凹孔３６と、それより小径の挿通孔３７とが、互いに連通するようにして、前後方向に貫設されている。
【００４７】
３８は、ブラケット３０を横杆２０に固定するための板ナットで、中心部には、上記ボルト３５が螺合するめねじ孔３９が穿設されている。
板ナット３８の上下寸法は、上記両ストッパ片３３、３４間において、ボルト３５の軸線回りに回動しうるとともに、横杆２０の下向片２２と上向片２３間に挿入可能な寸法とされ、また、左右寸法は、両ストッパ片３３、３４の左右の離間寸法、及び下向片２２と上向片２３の対向面間の寸法よりも大きくしてある。
【００４８】
このような形状とすることにより、板ナット３８が、両ストッパ片３３、３４間において、図７に示す状態から、ほぼ９０度だけ、正面視時計回り(後面視では反時計回り）に回動したとき、めねじ孔３９を挟む左右両側の上面３８aと下面３８bとが、それぞれ上部ストッパ片３３の内側面３３aと、下部ストッパ片３４の内側面３４aとに当接し、それ以上回動するのが阻止される。
【００４９】
図８〜図１０は、ブラケット３０の取付け要領を示すもので、図８に示すように、ブラケット３０の基部３０aに挿入したボルト３５の先端部に、板ナット３８を緩く螺合したのち、これを横向き水平として、パネル支持杆２０における前面の下向係合片２２と上向係合片２３との間より、係合溝２１内に挿入する。
【００５０】
この状態でボルト３５を締付け方向に回転させると、板ナット３８は、ボルト３５により連れ回されて、上述したように、上部ストッパ片３３と下部ストッパ片３４との内側面３３a、３４aと当接するまで、ほぼ９０度回転する。すると、図９及び図１０に示すように、板ナット３８は上下方向を向き、その上下両端部が、下向片２２と上向片２３との後面(裏面）に位置することにより、前方への抜け止めがなされる。
【００５１】
この状態で、ボルト３５を強く締め付けると、ブラケット３０の基部３０aと、板ナット３８とが、横杆２０の下向片２２と上向片２３の前後両面に強く圧接して、それらを挟持するため、ブラケット３０は、横杆２０の前面に強固に固定され、ブラケット３０に支持されたクロスパネル２６も、ブラケット３０を介して横杆２０に安定よく取り付けられる。なお、クロスパネル２６の取付後において、その下端と、硬質パネル１３の上端との間に、前方を見通しうる隙間が形成されるようになっているので、閉塞感が緩和される。
【００５２】
以上説明したように、上記実施形態においては、机１の後方を目隠しする硬質パネルの１３と、補助天板４の上方を覆うクロスパネル２６とを別体とし、このクロスパネル２６を、硬質パネル１３の上端に取り付けているので、従来のように、パネル全体が大型となることはなく、製造コストが低減され、かつ机１への取付けも容易である。
【００５３】
また、硬質パネル１３は、机１の後部連結杆７に、ブラケット１４を介して取付けられ、かつクロスパネル２６も、硬質パネル１３の上端に設けた横杆２０に、ブラケット３０を介して取り付けているので、机１の天板３、４に何ら加工を施したり、パネル取付け用の特別な部材を取り付けたりする必要はなく、両天板３、４を、他の机の天板と共通化することができる。しかも、クロスパネル２６が不要となって取り外しても、横杆２０は、それほど目立たないので、それを取り付けたままとしておいても、体裁が損なわれることはない。
【００５４】
さらに、横杆２０へのブラケット３０及びクロスパネル２６の着脱作業を、机１の前面側より行いうるので、複数の机が左右に隣接して設置されていても、その作業を支障なく行うことができる。
【００５５】
横杆２０の係合溝２１は、左右方向に連続しており、かつブラケット３０及びそれにより支持されたクロスパネル２６は、ボルト３５を若干緩めるだけで、横杆２０の係合溝２１に沿って左右方向に移動させうるので、例えば左右幅の大きな長テーブルに本発明を適用する際には、長寸の横杆２０に、左右幅の小さなクロスパネル２６を複数取付け、それらを、必要な位置にスライドさせて使用することもできる。
【００５６】
図１１は、本発明のパネル付き机の第２の実施形態を示すもので、平机４０の左右の天板４１、４１間に立設された、両天板４１の使用者の後方を目隠しする硬質のデスクトップパネル４２の上端に、上記と同形の横杆２０を取付け、その前後の係合溝２１に、天板４１の前上方と後上方に湾曲するクロスパネル４３、４３を、上記と同じブラケット３０により取付けたものである。
【００５７】
なお、上記第１の実施形態においても、机１を背中合わせで設置する際には、横杆２０の後面の係合溝２１を利用して、上記クロスパネル２６と同様のクロスパネルを、後ろ向きに取り付けることができる。
【００５８】
上記各実施形態においては、クロスパネル２６を、既存のデスクトップパネル等にも容易に後付けしうるように、硬質パネル１３と別体の横杆２０に設けた係合溝２１に取り付けているが、硬質パネル１３の上端部の前面もしくは前後両面に、係合溝２１を設けて、これに、上記のようなブラケット３０を介して、クロスパネル２６を直接取り付けることもできる。
【図面の簡単な説明】
【００５９】
【図１】本発明の第１の実施形態のパネル付き机の斜視図である。
【図２】同じく、側面図である。
【図３】同じく、机の後部連結杆へのブラケット取付部の後方斜視図である。
【図４】同じく、後部連結杆へのブラケットの取付け要領を示す後面図である。
【図５】同じく、ブラケット取付後の後面図である。
【図６】図５のＶＩ−ＶＩ線縦断側面図である。
【図７】横杆と、それに取付けるブラケットとの後方分解斜視図である。
【図８】横杆にブラケットを固定する前の正面図である。
【図９】同じくブラケット固定後の正面図である。
【図１０】図９のX-X線拡大縦断側面図である。
【図１１】本発明の第２の実施形態のパネル付き机の斜視図である。
【符号の説明】
【００６０】
１    机
２    脚体
２a   ベース脚
２b   脚柱
３    主天板
４    補助天板
５    天板支持杆
６    前部連結杆
７    後部連結杆
８    天板支持体
９    支持杆
１０  係合溝
１１  下向きの係止片
１２  上向きの係止片
１３  硬質パネル
１４  ブラケット
１４a 基片
１４b 支片
１４c パネル取付片
１５  長孔
１６  取付孔
１７  係合爪
１７a 上向係合片
１８  係合爪
１８a 下向係合片
１９  ねじ
２０  横杆
２１  係合溝
２２  下向片
２３  上向片
２４  嵌合片
２５  ボルト
２６  クロスパネル
２７  フレーム
２７a 突出端部
２８  横フレーム
２９  クロス
３０  パネル支持ブラケット
３１  有底孔
３２  突部
３３  上部ストッパ片
３４  下部ストッパ片
３５  ボルト
３６  凹孔
３７  挿通孔
３８  板ナット
３９  めねじ孔
４０  平机
４１  天板
４２  デスクトップパネル
４３  クロスパネル
【図１】
2008119079.tif 000003
【図２】
2008119079.tif 000004
【図３】
2008119079.tif 000005
【図４】
2008119079.tif 000006
【図５】
2008119079.tif 000007
【図６】
2008119079.tif 000008
【図７】
2008119079.tif 000009
【図８】
2008119079.tif 000010
【図９】
2008119079.tif 000011
【図１０】
2008119079.tif 000012
【図１１】
2008119079.tif 000013